(57)【要約】      （修正有）【課題】低層建築物を主な対象として設置場所を問わず手軽に設置できる積載荷重２５０キログラム未満の工事用エレベーターを提供する。【解決手段】ガイドレール１３に沿って昇降するためのガイドローラーが設けられた昇降荷台１１を有し、昇降荷台は、人員が搭乗する搭乗席の床板２１と、搭乗席の少なくとも前後を囲むガード２２と、人員の頭部を保護するヘッドガード２４と、搭乗席の左右に設けた搭乗席遮断部材とを具備し、昇降荷台の長さを超える長尺物の積載のために左右へ張り出してロングスパンエレベーターとなり、不要時には取り外し可能な張り出し荷台３１，３２を備える。【選択図】図５
0003190480.tif 000002
【実用新案登録請求の範囲】
【請求項１】
常設エレベーターの設置が義務付けられていない低層建築物を主な対象として用いる、積載荷重２５０キログラム未満の工事用エレベーターであって、
ガイドレールに沿って昇降するためのガイドローラーが設けられた昇降荷台を有し、
上記昇降荷台は、人員が搭乗する搭乗席の床板と、搭乗席の少なくとも前後を囲むガードと、人員の頭部を保護するヘッドガードと、搭乗席の左右に設けた搭乗席遮断部材とを具備し、
昇降荷台の長さを超える長尺物の積載のために左右へ張り出してロングスパンエレベーターとなり、不要時には取り外し可能な張り出し荷台を備えたことを特徴とする
低層建築物用多用途工事用エレベーター。
【請求項２】
張り出し荷台は、昇降荷台の左右の縦柱、及びこれと平行な外柱を立ての二辺とし、縦柱と外柱の上端部に渡した手摺、及びこれと平行に上記両柱の中間位置に渡した中枠を横の二辺とする平行四辺形を呈しており、その四辺形の構成部材は角部にて回転可能に結合されて平行リンクを構成するとともに、昇降荷台の左右両側に支軸を用いて取り付けられ、支軸を中心として荷台構成部材を回転することで、昇降荷台の左右両側に跳ね上げられ折り畳まれるように構成された
請求項１記載の低層建築物用多用途工事用エレベーター。
【請求項３】
搭乗席の床板、その前後を囲むガード、人員の頭部を保護するヘッドガード及び張り出し荷台は、その全てがボルトを用いて着脱可能に組み立てられ、かつ、パネル状部材と棒状部材に分解可能に構成されている
低層建築物用多用途工事用エレベーター。
【請求項４】
昇降荷台をガイドレールに沿って昇降させるために駆動する昇降モーターは、電灯線すなわち単相１００Ｖの電源仕様のものを使用するように構成された
請求項１記載の低層建築物用多用途工事用エレベーター。
【請求項５】
昇降荷台は、正面の出入り口扉と、前後のガードと、左右の搭乗席遮断部材との五箇所を開閉可能な構造の乗り降り口として有している
請求項１記載の低層建築物用多用途工事用エレベーター。
【請求項６】
張り出し荷台は、昇降荷台の左右の縦柱を立ての一辺とし、張り出し荷台自体の床板を横の一辺とし、上記縦の一辺と横の一辺を連絡する斜材より成る三角形を呈しており、上記横の一辺と斜材を取り外し可能に構成されている
請求項１又は３記載の低層建築物用多用途工事用エレベーター。
【考案の詳細な説明】
【技術分野】
【０００１】
本考案は、常設エレベーターの設置が義務付けられていない低層建築物を主な対象として用いる、積載荷重２５０キログラム未満の工事用エレベーターに関するものである。
【背景技術】
【０００２】
例えば、低層集合住宅（４〜５階建て、高さ２０メートル程度）のリニューアル工事においては、資材の搬送に問題のあることが多い。低層集合住宅に該当する４階建ての古い公営集合住宅などは常設エレベーターの設置されていないケースが多いためで、このような集合住宅では作業員の移動や資材の運搬等の手段が限られることになる。
【０００３】
一方、様々な建築工事に工事用エレベーターが用いられている。この種のエレベーターについては、使用中の安全を図るために、設置に当たり労働基準法による労働基準監督署への設置報告書の提出が義務付けられている。しかし、積載荷重２５０キログラム未満の工事用エレベーターに関しては労働基準監督署への設置報告書の提出が不要である（クレーン等安全規則第１４５条等）。
【０００４】
設置報告書の提出が不要ないわゆる適用除外仕様のエレベーターは荷物の運搬が主要な目的であるが小型簡易な構造であるため、その荷姿について長尺物を積み難いという欠点もある。また、人員の搭乗についてはほとんど考慮が払われていない。しかし、適用除外仕様の工事用エレベーターにおいても、ヘッドガードなどの安全装置等を設けることで人員の搭載が可能である。
【０００５】
工事用エレベーターにおける人荷搭載割合の調節装置については、本件出願人も既に開発を行なっている（特開２０１１−１２６７０２）。この装置は搬器上に張り出した遮断部材による遮断位置を調節可能としたものであるが、長尺物の搭載は無論のこと人員の搭載も予定された、労働基準監督署への設置報告書の提出が必要な種類のもので、広い設置面積が必要であり、付帯設備も複雑である。従って、電源も単相１００Ｖの電灯線ではなく三相交流２００Ｖ動力線を必要とするなど、本考案の目的である適用除外仕様のエレベーターとは要求内容が根本的に異なっており、低層建築物に適用することは事実上不可能である。
【０００６】
【特許文献１】特開２０１１−１２６７０２号
【考案の開示】
【考案が解決しようとする課題】
【０００７】
本考案は前記の実情に鑑みてなされたもので、その課題は、積載荷重２５０キログラム未満の工事用エレベーターについて、低層建築物を主な対象として設置場所を問わず手軽に実施できるようにするとともに、人員を安全に搭乗させることができるようにすることである。また、本考案の他の課題は、荷姿を問わずに資材を地上等と目的階との間にて上げ下げできるようにすることである。
【課題を解決するための手段】
【０００８】
前記の課題を解決するため、本考案は、常設エレベーターの設置が義務付けられていない低層建築物を主な対象として用いる、積載荷重２５０キログラム未満の工事用エレベーターについて、ガイドレールに沿って昇降するためのガイドローラーが設けられた昇降荷台を有し、上記昇降荷台は、人員が搭乗する搭乗席と、搭乗席の少なくとも前後を囲むガードと、人員の頭部を保護するヘッドガードと、搭乗席の左右に設けた搭乗席遮断部材とを具備し、昇降荷台の長さを超える長尺物の積載のために左右へ張り出してロングスパン工事用エレベーターとなり、不要時には取り外し可能な張り出し荷台を備えるという手段を講じたものである。なお、積載荷重２５０キログラム未満の工事用エレベーターとは適用除外仕様のエレベーターと同義である。
【０００９】
本考案の工事用エレベーターは前述した低層建築物を対象としている。例えば４階建ての古い公営集合住宅は常設エレベーターが設置されていないのみならず、電源として単相１００Ｖの電灯線を使用できるに過ぎないが、このような古い公営集合住宅も本考案の適用対象である。従って、本考案の工事用エレベーターにおいても、設置場所を問わず手軽に実施できるという目的から単相１００Ｖ電源による稼働が前提であり、この条件の下に積載荷重２５０キログラム（未満）という目的を達成する。
【００１０】
本考案の工事用エレベーターはガイドレールに沿って昇降するためのガイドローラーが設けられた昇降荷台を有する。ガイドローラーが昇降荷台に設けてあるというのは、昇降荷台がガイドレールの直近にあるという意味である。その構成においてガイドレールは昇降荷台の昇降経路となり、必要に応じて低層建築物に固定される。なお、昇降荷台は単に搬器とも呼ばれる。
【００１１】
上記昇降荷台は、人員が搭乗する搭乗席と、搭乗席の少なくとも前後を囲むガードと、人員の頭部を保護するヘッドガードと、搭乗席の左右に設けた搭乗席遮断部材とを具備している。つまり、搭乗席の前後がガードで囲まれ、左右に遮断部材を具備するのであるから搭乗席が中心に位置し、その上下前後左右が上記部材で囲まれることで人員の保護が図られており、人員の搭乗に必要な条件を満たしている。
【００１２】
さらに、本考案の工事用エレベーターは昇降荷台の長さを超える長尺物の積載のために左右へ張り出してロングスパン工事用エレベーターとなり、不要時には折り畳まれる張り出し荷台を備えている。この張り出し荷台は、長尺物の積載を可能にする手段であり、従来見られなかった構成である。
【００１３】
本考案の装置において、張り出し荷台が、昇降荷台の左右両側に支軸を用いて取り付けられ、支軸を中心として荷台構成部材を回転することで、昇降荷台の左右両側に跳ね上げられるようにされた構成は好ましいものである。上記昇降荷台は昇降荷台の左右の縦柱、及びこれと平行な外柱を立ての二辺とし、縦柱と外柱の上端部に渡した手摺、及びこれと平行に上記両柱の中間位置に渡した中枠を横の二辺とする平行四辺形を呈しており、その四辺形の構成部材は角部にて回転可能に結合されて平行リンクを構成する。跳ね上げ構成には、張り出し荷台を着脱することなく畳み、その形態を変換できるという利点もある。
【００１４】
また、張り出し荷台は、昇降荷台の左右の縦柱を立ての一辺とし、張り出し荷台自体の床板を横の一辺とし、上記縦の一辺と横の一辺を連絡する斜材より成る三角形を呈しており、上記横の一辺と斜材を取り外し可能にした構成を取ることもできる。
【００１５】
さらにまた、搭乗席の床板、その前後を囲むガード、人員の頭部を保護するヘッドガード及び張り出し荷台は、その全てがボルト（必要なナット又はメネジ部分を含む、以下同様。）を用いて着脱可能に組み立てられ、かつ、パネル状部材と棒状部材に分解可能に構成されることが望ましい。ボルト操作のみで張り出し荷台の張り出しと跳ね上げや組み立て及び分解は勿論のこと、昇降荷台の組み立て及び分解をも非常に容易に行なうことができる。
【考案の効果】
【００１６】
本考案は以上のように構成され、かつ、作用するものであるから積載荷重２５０キログラム未満の工事用エレベーターについて、低層建築物を主な対象として設置場所を問わず手軽に実施することができるとともに、人員の安全な搭乗が可能になるという効果を奏する。また、本考案によれば、長尺物か否か等その荷姿を問わずに資材を地上等と目的階との間にて上げ下げすることができるようになる。
【考案を実施するための最良の形態】
【００１７】
以下、図示の実施形態を参照して本考案をより詳細に説明する。図１は本考案に係る低層建築物用多用途工事用エレベーターの例１を示す正面図であり、この工事用エレベーター１０は搬器とも呼ばれる昇降荷台１１を有しており、上記昇降荷台１１はベース１２に据え付けたガイドレール１３に沿って昇降可能に設けられている。
【００１８】
上記昇降荷台１１の昇降機構については図３を参照して説明する。ガイドレール１３は上部において壁繋ぎ１４を用いて低層建築物に固定されており、昇降するためのガイドローラー１５が昇降荷台１１の上下に設けられている。なお、ガイドローラー１５はガイドレール１３に沿って昇降可能にするために、昇降荷台１１の下部では搭乗席床板２１に、上部ではヘッドガード２４の構成材にそれぞれ装着されている（図３、図４）。
【００１９】
ベース１２には昇降モーター１６を２基備えており、２本のワーヤーロープ１７により昇降荷台１１を吊り下げる方式を取っている。また、図示しないがブレーキシステムも２組の巻き取りドラム１６ａにそれぞれ備えており、高い安全性を保持している。そして、昇降モーター１６は、電灯線すなわち単相１００Ｖの電源仕様のものを使用する。
【００２０】
本発明に係る工事用エレベーター１０において、昇降荷台１１及び後述する張り出し荷台３１、３２は、その全てが防護網を調節した枠体から成るパネル部材Ｐと、棒状部材Ｒとから構成されている。パネル部材Ｐの角部及び棒状部材Ｒの端部にはボルト通し孔を有する接ぎ手１８が設けてあり、この接ぎ手１８にボルト（必要なナット又はメネジ部分を含む、以下同様。）１９を通すことで全ての部材の組み立てと分解が行なわれる（図８参照）。上記防護網は昇降荷台１１から荷物が落下したり飛散したりすることのないように設けられており、特に平坦性や強度を必要とする、床板２１については文字通りの網ではなく、プレス加工された金属製床材類が使用されている。即ち、防護網は網状構造のものの他、例えばパンチングメタルの様な孔のあいた板材を含む。
【００２１】
この昇降荷台１１は、人員が搭乗する搭乗席の床板２１と、搭乗席の少なくとも前後を囲むガード２２、２３と、人員の頭部を保護するヘッドガード２４と、搭乗席の左右に設けた搭乗席遮断部材２５、２６とを具備し、これらの部材により搭乗席２０の六面を囲んでいる。この内、床板２１と、前部ガード２２及びヘッドガード２４は、前述のパネル部材Ｐから成り、それ以外の部材は棒状部材Ｒから成る。
【００２２】
床板２１は、向かって左右及び中央の三部分Ａ、Ｂ、Ｃに分けられ（図４参照）、左右及び中央の三部分Ａ、Ｂ、Ｃは同一の大きさを有する。左右及び中央の三部分Ａ、Ｂ、Ｃに分けられる構成は、ヘッドガード２４についても全く同様とする（図５参照）。また、前部のガード２２の中央には、搭乗席２０へ直接正面から乗り込める出入り口扉２７が設けてある。
【００２３】
よって、本実施形態の昇降荷台１１は、正面の出入り口扉２７と、前後のガード２２、２３と、左右の搭乗席遮断部材２５、２６との五箇所を開閉可能な構造の乗り降り口として有している。このため乗り降り口が前後左右にあるので、エレベーターの設置場所を自由に計画できるという効果がある。なお、出入り口扉２７は上下レール２８ａ、２８ｂをスライドする移動部材２９ａ、２９ｂを有しており、図１では向かって右方へ移動し開閉する。
【００２４】
本考案では、昇降荷台１１の長さを超える長尺物の積載のために左右へ張り出してロングスパン工事用エレベーターとなり、不要時には折り畳まれる張り出し荷台３１、３２を備えている（図４以下、特に例１は図５ないし図８を参照）。この張り出し荷台３１、３２は昇降荷台１１の左右両側に適当個数の支軸３０を用いて取り付けられ、支軸３０を軸として荷台構成部材を回転することで、昇降荷台１１の左右両側に跳ね上げられて畳まれた状態になる。なお、支軸３０には前記ボルト１９と同じものを用いても良い。
【００２５】
実施形態の張り出し荷台３１、３２は、昇降荷台１１の左右の縦柱３３、及びこれと平行な外柱３５を立ての二辺とし、縦柱３３と外柱３５の上端部に渡した手摺３６、及びこれと平行に上記両柱３３、３５の中間位置に渡した中枠３７を横の二辺とする平行四辺形を呈している。この平行四辺形の構成部材は角部にて回転可能に結合されて平行リンクを構成し、昇降荷台１１の左右両側に跳ね上げられるように構成されている。
【００２６】
上記手摺３６と中枠３７は、これらを張り出した状態を保つ保持部材４０によってそれぞれが支えられている。上記保持部材４０はほぼＬ字型のアーム形状を有し、手摺３６と中枠３７にそれぞれ一体的に設けられている（図６Ａ参照）、アーム形状の部分は張り出し時に内方にて縦柱３３とほぼ直角に固定部材４１とボルト１９により固定され、跳ね上げ時にはそのボルト１９を外すことにより平行リンクと一体に回転し、縦柱３３と平行になる（図６Ｂ参照）。
【００２７】
また、床板３４はパネル部材Ｐから成り、昇降荷台１１の側に位置する内方の端部において部材４２を用いて結合し、外柱３５の側については、張り出し時にボルト１９にて結合し、跳ね上げ時にボルト１９を取り外すように構成されている（図６Ａ及びＢ参照）。４３は支え部材であり、床板３４の跳ね上げ時に上記部材４２同士をボルト結合するために使用し、張り出し時には取り外すように構成されている。
【００２８】
なお、図示の縦柱３３は搭乗席の前後を囲むガード２２、２３を構成している左右の枠の下半部分でもある。張り出し荷台３１、３２は、前後のガード２２、２３の左右両側にそれぞれ設けられており、前後の外柱３５と手摺３６は、それぞれの交点付近に設けられた乗り降り遮断部材３８、３９によって結合されている（図４参照、その安全装置については図７、図８を参照して後述する。）。
【００２９】
開閉可能な上記部材、特に、搭乗席後部のガード２３と搭乗席遮断部材２５、２６及び乗り降り遮断部材３８、３９については、安全対策が施されている。図７、図８はその例示であり、実施形態において、上記部材はいずれも棒状部材Ｒとから構成され、各棒状部材Ｒ（２３、２３、２５、２６、３８、３９）はそれらの前端部２６ａ、３９ａ等にて昇降荷台１１の背面構造体に軸支されており、図７に示した水平な閉じ状態にするとそれが検出機構４５によって検出される。なお、後端部は受け具２６ｂ、３９ｂ等によって受け止められる。
【００３０】
検出機構は同じ構成、作用を奏するものであるから全て同一の符号４５で示す。例示した検出機構４５はリミットスイッチから成り、図７では、搭乗席遮断部材２５、２６及び乗り降り遮断部材３８、３９が接触子４５ａに接触することによって切り替えられる。この検出機構４５による検出結果は、昇降荷台１１の正面のガード２２に設けられている制御盤４６に表示される。図８において、符号４７、４８は部材取り付け板を示しており、搭乗席遮断部材２５、２６及び乗り降り遮断部材３８、３９を基端部（前端部）にて回転可能に軸支するために設けている。
【００３１】
上記の構成から明らかであるように、人員が搭乗する搭乗席２０は昇降荷台１１の中央部に設定され、搭乗席２０を区画する搭乗席遮断部材２５、２６によって搭乗する人員の安全が確保される（図９）。搬器の大きさの一例として正面幅を３０００ｍｍとし、奥行きを５３０ｍｍとすると、図１０に示すような面積配分が得られる。０．５ｍ２は人員２名の搭乗面積として十分であり、その面積を超える床面積が左右両側に得られ、しかも全幅は３０００ｍｍにわたるので、長尺物か否か等その荷姿を問わずに資材を積載することができる。図１、図５の符号４９は荷台上部手摺を示しており、組み立て、解体作業等のために昇降荷台１１のヘッドガード２４の上に設置されている。
【００３２】
さらに、本考案に係る低層建築物用多用途工事用エレベーターの例２を示す。例２における搬器部分は、昇降荷台１１の左右の縦柱３３ｌ、３３ｒを立ての一辺とし、張り出し荷台５１、５２自体の床板５０を横の一辺とし、上記縦の一辺と横の一辺とを斜材５３、５４により連絡する三角形を呈している。例２では、上記横の一辺と斜材５３、５４はボルト（必要なナット又はメネジ部分を含む。）１９により昇降荷台１１から取り外し可能に構成されている。斜材５３、５４には保護枠５３ａ、５４ａが付属し、止め具５３ｂ、５４ｂにより左右の縦柱３３ｌ、３３ｒにも固定されている。
【００３３】
他の構成については例１と同様であるので符号を援用し、詳細な説明を省略する。例２の工事用エレベーターの場合も、張り出し荷台５１、５２自体の床板５０はパネル部材Ｐから成り、斜材５３、５４は棒状部材Ｒから成る。よって、長尺物を積載しない使用方法では、昇降荷台１１から横の一辺と斜材５３、５４をボルト、ナットを外して張り出し荷台５１、５２を取り外せるように構成されている。
【００３４】
本考案は、このように全てがボルト１９と特には図示していないナットを用いて着脱可能に組み立てられ、かつ、パネル状部材Ｐと棒状部材Ｒに分解可能に構成されており、施工現場が狭くても容易に設置することができる。また、軽量に構成することができるので単相１００Ｖ電源でも必要な駆動力を得ることができる。よって、例えば４階建ての古い公営集合住宅などの常設エレベーターの設置されていない環境における工事にも、工事用エレベーターを使用することができるようになる。
【図面の簡単な説明】
【００３５】
【図１】本考案に係る低層建築物用多用途工事用エレベーターの例１を示す正面説明図である。
【図２】同上の工事用エレベーターを示す背面説明図である。
【図３】同上における昇降用荷台を拡大して示す一部省略側面図である。
【図４】同じく昇降用荷台を示す上面図である。
【図５】同じく張り出し荷台の一部を跳ね上げた状態を示す正面説明図である。
【図６】同じく張り出し荷台を示すもので、Ａは張り出した状態の正面図、Ｂは跳ね上げた状態の正面図である。
【図７】同じく遮断部材の安全保持のための閉状態検出機構を示す側面図である。
【図８】同上要部の拡大図である。
【図９】同じく昇降荷台と張り出し荷台から成る荷台全体を示す平面説明図である。
【図１０】荷台全体における搭乗席とそれ以外の部分との面積配分の一例を示す平面説明図である。
【図１１】本考案に係る低層建築物用多用途工事用エレベーターの例２を示す正面説明図である。
【符号の説明】
【００３６】
１０  工事用エレベーター
１１  昇降荷台
１３  ガイドレール
１５  ガイドローラー
１６  昇降モーター
１７  ワイヤーロープ
１８  部材結合手段である接ぎ手
１９  部材結合手段であるボルト
２０  搭乗席
２１、３４、５０  床板
２２、２３  前後のガード
２４  ヘッドガード
２５、２６  搭乗席遮断部材
２７  出入り口扉
２８ａ、２８ｂ  上下のレール
２９ａ、２９ｂ  スライドする部材
３０  支軸
３１、３２、５１、５２  張り出し荷台
３３  縦柱
３５  外柱
３６  手摺
３７  中枠
３８、３９  遮断部材
４０  保持部材
４１  アーム
４２、４３  部材
４４  軸
４５  検出機構
４６  制御盤
４７、４８  部材受け
４９  荷台上部手摺
５３、５４  斜材
【図１】
0003190480.tif 000003
【図２】
0003190480.tif 000004
【図３】
0003190480.tif 000005
【図４】
0003190480.tif 000006
【図５】
0003190480.tif 000007
【図６】
0003190480.tif 000008
【図７】
0003190480.tif 000009
【図８】
0003190480.tif 000010
【図９】
0003190480.tif 000011
【図１０】
0003190480.tif 000012
【図１１】
0003190480.tif 000013
【手続補正書】
【提出日】平成26年3月5日(2014.3.5)
【手続補正１】
【補正対象書類名】実用新案登録請求の範囲
【補正対象項目名】全文
【補正方法】変更
【補正の内容】
【実用新案登録請求の範囲】
【請求項１】
常設エレベーターの設置が義務付けられていない低層建築物を主な対象として用いる、積載荷重２５０キログラム未満の工事用エレベーターであって、
ガイドレールに沿って昇降するためのガイドローラーが設けられた昇降荷台を有し、
上記昇降荷台は、人員が搭乗する搭乗席の床板と、搭乗席の少なくとも前後を囲むガードと、人員の頭部を保護するヘッドガードと、搭乗席の左右に設けた搭乗席遮断部材とを具備し、
昇降荷台の長さを超える長尺物の積載のために左右へ張り出してロングスパンエレベーターとなり、不要時には取り外し可能な張り出し荷台を備えたことを特徴とする
低層建築物用多用途工事用エレベーター。
【請求項２】
張り出し荷台は、昇降荷台の左右の縦柱、及びこれと平行な外柱を立ての二辺とし、縦柱と外柱の上端部に渡した手摺、及びこれと平行に上記両柱の中間位置に渡した中枠を横の二辺とする平行四辺形を呈しており、その四辺形の構成部材は角部にて回転可能に結合されて平行リンクを構成するとともに、昇降荷台の左右両側に支軸を用いて取り付けられ、支軸を中心として荷台構成部材を回転することで、昇降荷台の左右両側に跳ね上げられ折り畳まれるように構成された
請求項１記載の低層建築物用多用途工事用エレベーター。
【請求項３】
搭乗席の床板、その前後を囲むガード、人員の頭部を保護するヘッドガード及び張り出し荷台は、その全てがボルトを用いて着脱可能に組み立てられ、かつ、パネル状部材と棒状部材に分解可能に構成されている
請求項１記載の低層建築物用多用途工事用エレベーター。
【請求項４】
昇降荷台をガイドレールに沿って昇降させるために駆動する昇降モーターは、電灯線すなわち単相１００Ｖの電源仕様のものを使用するように構成された
請求項１記載の低層建築物用多用途工事用エレベーター。
【請求項５】
昇降荷台は、正面の出入り口扉と、前後のガードと、左右の搭乗席遮断部材との五箇所を開閉可能な構造の乗り降り口として有している
請求項１記載の低層建築物用多用途工事用エレベーター。
【請求項６】
張り出し荷台は、昇降荷台の左右の縦柱を立ての一辺とし、張り出し荷台自体の床板を横の一辺とし、上記縦の一辺と横の一辺を連絡する斜材より成る三角形を呈しており、上記横の一辺と斜材を取り外し可能に構成されている
請求項１又は３記載の低層建築物用多用途工事用エレベーター。